(57)【要約】【課題】第１のユニットに接続される複数の第２のユニットの接続順序の設定を正確かつ容易に行うことが可能な媒体処理装置および媒体処理装置のユニット接続方法を提供する。【解決手段】計数ユニットと、当該計数ユニットに接続される複数の集積ユニット３〜６とを有する媒体処理装置であって、複数の集積ユニット３〜６は、紙葉類１００を搬送する共通搬送路３１１、４１１、５１１、６１１と、共通搬送路３１１、４１１、５１１、６１１により搬送される紙葉類１００を検知する光学センサ３６、４６、５６、６６とをそれぞれ有し、計数ユニットに対する複数の集積ユニット３〜６の接続順序を、複数の集積ユニット３〜６の光学センサ３６、４６、５６、６６が紙葉類１００を検知したことを示す信号に基づいて決定する構成とした。【選択図】図１０
2020164330.tif 000002
【特許請求の範囲】
【請求項１】
第１のユニットと、当該第１のユニットに接続される複数の第２のユニットとを有する媒体処理装置であって、
前記複数の第２のユニットは、
媒体を搬送する搬送機構と、
前記搬送機構により搬送される前記媒体を検知する媒体検知部と
をそれぞれ有し、
前記第１のユニットに対する前記複数の第２のユニットの接続順序を、前記複数の第２のユニットの前記媒体検知部が前記媒体を検知したことを示す信号に基づいて決定する媒体処理装置。
【請求項２】
前記第１のユニットは、
前記複数の第２のユニットの前記媒体検知部の各々から送信された前記媒体を検知したことを示す信号を受信した順序に基づいて、当該第１のユニットに対する前記複数の第２のユニットの接続順序を決定する請求項１に記載の媒体処理装置。
【請求項３】
前記第１のユニットは、
前記媒体処理装置の制御系統において前記複数の第２のユニットよりも上位に位置する請求項１または請求項２に記載の媒体処理装置。
【請求項４】
前記複数の第２のユニットは、
各々共通の機能を有する請求項１から請求項３の何れか一項に記載の媒体処理装置。
【請求項５】
前記複数の第２のユニットのうち、少なくとも一の第２のユニットは他の第２のユニットと異なる機能を有する請求項１から請求項３の何れか一項に記載の媒体処理装置。
【請求項６】
前記第１のユニットは、
前記媒体を受け付ける受付部と、当該受付部で受け付けた前記媒体を前記複数の第２のユニット側に搬送可能な搬送部とを有する計数ユニットであり、
前記第２のユニットは、
前記媒体を第１の方向に搬送する第１搬送路と、前記媒体を前記第１の方向と異なる第２の方向に搬送する第２搬送路と、前記第１搬送路または前記第２搬送路で搬送される前記媒体を検知する検知装置とを有する増設ユニットであり、
前記増設ユニットは、
前記第１搬送路および前記第２搬送路の少なくとも何れかを連通させた状態で複数連結されており、
前記計数ユニットは、
連結された前記増設ユニットの前記第１搬送路および前記第２搬送路の少なくとも何れかにより搬送される前記媒体を、前記増設ユニットの各々の検知装置が検出したことを示す信号を受信した順序に基づいて前記増設ユニットの接続順序を決定する請求項１から請求項５の何れか一項に記載の媒体処理装置。
【請求項７】
前記第１のユニットは、
前記決定した前記第２のユニットの接続順序を、当該接続順序に対応する第２のユニットに通知する請求項１から請求項６の何れか一項に記載の媒体処理装置。
【請求項８】
前記複数の第２のユニットは、
前記第１のユニットから通知された接続順序を記憶する記憶部を有する請求項７に記載の媒体処理装置。
【請求項９】
前記複数の第２のユニットは、
前記記憶部に記憶された自身の接続順序を前記第１のユニットに送信する請求項８に記載の媒体処理装置。
【請求項１０】
前記第１のユニットは、
第１タイミングで前記第２のユニットから第１接続順序を受信すると共に、前記第１タイミングよりも時系列的に後の第２タイミングで前記第２のユニットから第２接続順序を受信し、
前記第１タイミングで受信した前記第１接続順序と前記第２タイミングで受信した前記第２接続順序とを比較し、前記第１接続順序と前記第２接続順序との間に連続性があるか否かを判断する請求項９に記載の媒体処理装置。
【請求項１１】
前記第１のユニットと前記第２のユニットとはシリアル接続されており、
前記第２のユニットは、
前記記憶部に記憶された前記第２のユニットの接続順序を示す情報に加えて自身の固有の識別情報を前記第１のユニットに送信する請求項８から請求項１０の何れか一項に記載の媒体処理装置。
【請求項１２】
前記媒体処理装置に関する情報を表示する表示装置をさらに備え、
前記表示装置は、第１表示領域と、当該第１表示領域と近接または接して設けられる第２表示領域と、を有し、
少なくとも前記第１表示領域および前記第２表示領域の何れか一方には、前記第１のユニットと前記第２のユニットとの決定された接続順序が表示される請求項１から請求項１１の何れか一項に記載の媒体処理装置。
【請求項１３】
前記第１表示領域は、前記表示装置の表示領域に対して上下方向に延在して設けられると共に、前記第２表示領域は、前記表示装置の表示領域に対して左右方向に延在して設けられており、
前記第１のユニットと前記第２のユニットとの接続状態が前記第２表示領域に表示される請求項１２に記載の媒体処理装置。
【請求項１４】
前記第２表示領域は、前記第１表示領域の上下方向に延在する何れか一方の端部から左右方向の何れか一方向に延在して設けられている請求項１２または請求項１３に記載の媒体処理装置。
【請求項１５】
第１のユニットと、当該第１のユニットに接続される複数の第２のユニットとを有し、前記第１のユニットに対する前記複数の第２のユニットの接続順序を決定する媒体処理装置のユニット接続方法であって、
前記複数の第２のユニットの各々に媒体を搬送し、
前記媒体の搬送に応じて前記複数の第２のユニットの各々から出力される信号を受信し、
前記複数の第２のユニットの各々から出力された信号の順番に基づいて前記第１のユニットに対する前記複数の第２のユニットの接続順序を決定する媒体処理装置のユニット接続方法。
【請求項１６】
前記第１のユニットは、
前記媒体を受け付ける受付部と、
当該受付部で受け付けた前記媒体を前記第２のユニット側に搬送可能な搬送部と
を有する計数ユニットであり、
前記複数の第２のユニットは、
前記媒体を搬送する搬送路と、
前記搬送路により搬送される前記媒体を検知すると共に、検知したことを示す紙葉類検知信号を送信する検知部と
を有すると共に、各々の前記搬送路を連通した状態で連結された増設ユニットであり、
複数の前記増設ユニットは、
前記複数の増設ユニットの搬送路の各々に前記媒体を順次搬送し、
前記複数の増設ユニットの前記搬送路による前記媒体の搬送に応じて複数の前記増設ユニットの前記検知部の各々から送信された紙葉類検知信号を受信した順番に基づいて複数の前記増設ユニットの接続順序を決定する請求項１５に記載の媒体処理装置のユニット接続方法。
【発明の詳細な説明】
【技術分野】
【０００１】
本発明は、媒体処理装置および媒体処理装置のユニット接続方法に関する。
【背景技術】
【０００２】
従来、装置本体にユーザの要求に応じた機能を有する複数のユニットを増設できるようにした紙葉類処理装置が知られている（例えば、特許文献１）。特許文献１に開示された紙葉類処理装置では、装置本体と１又は複数の集積部を有するユニットとを接続することで装置本体の外部に１又は複数の集積部を増設できるようになっており、装置本体に投入された紙葉類を目的とする集積部に振り分けることができる。
【先行技術文献】
【特許文献】
【０００３】
【特許文献１】特開平０７−２６７５１３号公報
【発明の概要】
【発明が解決しようとする課題】
【０００４】
ここで、この種の紙葉類処理装置では、装置本体に投入された紙葉類を目的とする集積部に振り分けるために、装置本体に対して各々のユニットを順番通りに接続する必要がある。また、装置本体では、各々のユニットの接続順序を設定する必要がある。このため、例えば、紙葉類処理装置の設置作業者が、装置本体に対する各々のユニットの配線の接続順序を間違えた場合、または装置本体における各々のユニットの接続順序の設定を間違えた場合には、装置本体に投入された紙葉類を目的とするユニットの集積部に正確に振り分けることができない。このような問題は、紙葉類を処理する紙葉類処理装置だけではなく、硬貨類を処理する硬貨処理装置などの他の媒体処理装置でも同様のことが言える。
【０００５】
従って、本発明は、装置本体に接続された複数のユニットの接続順序の設定を正確かつ容易に行うことが可能な媒体処理装置および媒体処理装置のユニット接続方法を提供することを目的とする。
【課題を解決するための手段】
【０００６】
本発明は、第１のユニットと、当該第１のユニットに接続される複数の第２のユニットとを有する媒体処理装置であって、前記複数の第２のユニットは、媒体を搬送する搬送機構と、前記搬送機構により搬送される前記媒体を検知する媒体検知部とをそれぞれ有し、前記第１のユニットに対する前記複数の第２のユニットの接続順序を、前記複数の第２のユニットの前記媒体検知部が前記媒体を検知したことを示す信号に基づいて決定する。
【０００７】
また、本発明は、第１のユニットと、当該第１のユニットに接続される複数の第２のユニットとを有し、前記第１のユニットに対する前記複数の第２のユニットの接続順序を決定する媒体処理装置のユニット接続方法であって、前記複数の第２のユニットの各々に媒体を搬送し、前記媒体の搬送に応じて前記複数の第２のユニットの各々から出力される信号を受信し、前記複数の第２のユニットの各々から出力された信号の順番に基づいて前記第１のユニットに対する前記複数の第２のユニットの接続順序を決定する。
【発明の効果】
【０００８】
本発明によれば、第１のユニットに接続される複数の第２のユニットの接続順序の設定を正確かつ容易に行うことが可能な媒体処理装置および媒体処理装置のユニット接続方法を提供することができる。
【図面の簡単な説明】
【０００９】
【図１】実施の形態に係る媒体処理装置の全体構成を正面側から見た内部の概略構成図である。
【図２】実施の形態に係る媒体処理装置の計数ユニットおよび集積ユニットを示す正面図である。
【図３】実施の形態に係る媒体処理装置の計数ユニットおよび集積ユニットを正面側から見た内部の概略構成図である。
【図４】実施の形態に係る媒体処理装置の計数ユニットおよび集積ユニットを示す斜視図である。
【図５】実施の形態に係る媒体処理装置の集積ユニット本体部を示す斜視図である。
【図６】実施の形態に係る媒体処理装置の集積ユニット本体部を示す斜視図である。
【図７】実施の形態に係る媒体処理装置の計数ユニットに対する集積ユニットの接続順序の設定方法を説明する図である。
【図８】実施の形態に係る媒体処理装置の計数ユニットと集積ユニットとをパラレル接続した場合の接続順序の設定方法を説明する図である。
【図９】実施の形態に係る計数ユニットと集積ユニットとをパラレル接続した場合の接続関係の一例を示す図である。
【図１０】実施の形態に係る媒体処理装置の計数ユニットと集積ユニットとをパラレル接続した場合において、各集積ユニットで生成された受信信号の計数ユニットでの受信状況の一例を説明する図である。
【図１１】実施の形態に係る媒体処理装置の表示画面の表示例を説明する図である。
【図１２】実施の形態に係る媒体処理装置の計数ユニットで行われる接続順序設定処理を示すフローチャートである。
【図１３】実施の形態に係る媒体処理装置の集積ユニットで行われる紙葉類検知処理を示すフローチャートである。
【図１４】実施の形態に係る媒体処理装置の集積ユニットで行われる接続順序記憶処理を示すフローチャートである。
【図１５】実施の形態に係る媒体処理装置の集積ユニットで行われる接続順序送信処理を示すフローチャートである。
【図１６】実施の形態に係る媒体処理装置の計数ユニットで行われる増設ユニットの連続性チェックの処理を示すフローチャートである。
【図１７】第２の実施の形態に係る媒体処理装置における計数ユニットと集積ユニットとの接続状態を説明する概略構成図である。
【図１８】第２の実施の形態に係る計数ユニットの制御部に送信される情報の一例を説明する図である。
【図１９】第２の実施の形態に係る媒体処理装置の計数ユニットと集積ユニットとをシリアル接続した場合において、各集積ユニットで生成された受信信号の計数ユニットでの受信状況の一例を説明する図である。
【発明を実施するための形態】
【００１０】
＜媒体処理装置＞
以下、図面を参照して実施の形態にかかる媒体処理装置１を説明する。
図１は、実施の形態にかかる媒体処理装置１の全体構成を正面から見た概略断面図である。
図２は、実施の形態にかかる媒体処理装置１の計数ユニット２と集積ユニット３との正面図である。
図３は、実施の形態にかかる媒体処理装置１の計数ユニット２と集積ユニット３とを正面から見た概略断面図である。
図４は、集積ユニット３側から見た計数ユニット２と集積ユニット３との斜視図である。
図５は、計数ユニット２側から見た集積ユニット３の斜視図であり、各カバー類を取り外した状態を示している。
図６は、集積ユニット４側から見た集積ユニット３の斜視図であり、各カバー類を取り外した状態を示している。
【００１１】
媒体処理装置は、紙葉類や硬貨などの媒体を種類別（例えば、金種別）に分類して予め設定した所定枚数ずつ集積する機能、及び集積した紙葉類や硬貨などの媒体を所定枚数ごとに施封する機能など、１又は複数の機能を有するユニットを組み合わせて構成される装置である。媒体処理装置１では、装置本体である計数ユニット２に、１又は複数のユニット（例えば、集積ユニット３〜６又は図示しない施封ユニット）を接続することで目的とする一連の機能を発揮させることができる。計数ユニット２に接続される１又は複数の機能を有するユニットを増設ユニットとも言う。
【００１２】
媒体処理装置１では、計数ユニット２により増設ユニット（実施の形態では、集積ユニット３〜６）の動作が制御され、媒体処理装置１の制御系等において計数ユニット２は上位側、増設ユニットは下位側に位置する。この媒体処理装置１では、オペレータ（図示せず）が計数ユニット２に設けられた操作表示部２４（表示装置、図２参照）を操作して動作を指示することで、操作指示に応じた所定の動作が行われる。
【００１３】
実施の形態にかかる媒体処理装置１は、計数ユニット２に集積部の数が各々異なる４台の集積ユニット３〜６が接続されている場合を例示して説明する。媒体処理装置１は、計数ユニット２の受入部２１に投入された紙幣や証券、金券などの紙葉類１００を、当該紙葉類１００の種類別（例えば、金種別）に分類して、紙葉類１００の種類別に集積箇所が予め設定された集積ユニット３〜６の各々の集積部３２、４２、５２、６２に所定枚数ずつ集積する機能を有する。
【００１４】
以下の説明において、媒体処理装置１における操作表示部２４側（図１における紙面手前側）を正面又は前面、媒体処理装置１における操作表示部２４の反対側（図１における紙面奥側）を背面又は後面と定義する。また、媒体処理装置１を正面から見て計数ユニット２側を右側（図１における紙面右側）、媒体処理装置１を正面から見て複数の集積ユニット３〜６側を左側（図１における紙面左側）と定義する。また、媒体処理装置１を正面から見てリジェクト部２３側（図１における紙面上側）を上側、媒体処理装置１を正面から見て受入部２１側（図１における紙面下側）を下側と定義する。また、媒体処理装置１において、計数ユニット２の受入部２１に投入された紙葉類１００が集積ユニット３〜６に搬送される搬送方向において、受入部２１側を上流側、集積部３２、４２、５２、６２側を下流側と定義する。
【００１５】
＜計数ユニット＞
初めに、媒体処理装置１の計数ユニット２を説明する。
【００１６】
図１及び図２に示すように、計数ユニット２は、処理前の紙葉類１００が投入される受入部２１と、投入された紙葉類１００の識別及び搬送を行う計数本体部２２と、リジェクト紙葉類が集積されるリジェクト部２３と、媒体処理装置１の操作に用いられる操作表示部２４（図２参照）と、媒体処理装置１の全体制御を行う制御部２５と、を有して構成されている。実施の形態では、受入部２１に投入される紙葉類１００は、平面視において長方形形状を成す紙幣であり、例えば１万円札、５千円札、二千円札、千円札などである。
【００１７】
図３に示すように、受入部２１は、正面から見て、計数ユニット２における右下側の領域に設けられている。受入部２１は、計数ユニット２の右下側における正面及び右側面に亘って常時開口する開口部２１１と、紙葉類１００が載置される底壁２１２と、底壁２１２の左側の縁に沿って設けられ、当該底壁２１２に対して直角上方向に設けられる側壁２１３と、受入部２１の背面側に設けられ、少なくとも開口部２１１の背面全体を覆う背面壁２１４と、背面壁２１４と対向して正面側に設けられる正面壁２１５（図２参照）と、底壁２１２に載置された紙葉類１００を上側から底壁２１２側に押圧するビルプレス２１６と、底壁２１２の下側に設けられた蹴出ローラ２１７と、を有して構成される。前述した底壁２１２と側壁２１３と背面壁２１４と正面壁２１５とにより投入された紙葉類１００を収納する受入空間が形成される。
【００１８】
底壁２１２は平坦面となっており、この平坦面に紙葉類１００の一方の面が当接して載置される。底壁２１２は、正面から見て、水平面に対して右上側に傾斜して設けられており、底壁２１２に載置された複数枚の紙葉類１００は、底壁２１２の傾斜に沿って左側に片寄せされる。その結果、底壁２１２に載置された複数枚の紙葉類１００は、各々の紙葉類１００の長辺部を底壁２１２の左側の縁に沿って設けられた側壁２１３に当接して幅方向の位置が揃えられた状態で受入空間内に集積される。
【００１９】
背面壁２１４と正面壁２１５との間隔は、紙葉類１００の長手方向の長さよりも僅かに長い長さに設定されている。よって、底壁２１２に載置された複数枚の紙葉類１００は、少なくとも両方の短辺部の何れか一方が背面壁２１４と正面壁２１５との何れか一方に当接する結果、背面壁２１４と正面壁２１５とにより長手方向の位置がほぼ揃えられた状態で受入空間内に集積される。
【００２０】
側壁２１３において、底壁２１２の近傍には、この側壁２１３を厚み方向に貫通する貫通孔（図示せず）が設けられている。この貫通孔（図示せず）は、側壁２１３の底壁２１２側の縁に沿って紙葉類１００の長辺部よりも長い長さで設けられている。よって、底壁２１２に集積された紙葉類１００は、底壁２１２の下側に設けられた蹴出ローラ２１７（図３参照）により集積状態の最下層から１枚ずつ分離されたのち、側壁２１３の貫通孔（図示せず）を通過して計数本体部２２側に搬送される。
【００２１】
複数枚の紙葉類１００は、長辺部を側壁２１３に当接させた状態で、この側壁２１３に設けられた貫通孔（図示せず）から１枚ずつ計数本体部２２側に搬送されるので、媒体処理装置１において、紙葉類１００は幅方向を搬送方向として搬送されることになる。
【００２２】
この側壁２１３に沿って上下方向に移動可能にビルプレス２１６が設けられている。
【００２３】
ビルプレス２１６は、受入空間内に集積された紙葉類１００の枚数（集積状態の紙葉類１００の厚み）に応じた力で当該紙葉類１００を上側から下側に押圧するようになっている。これにより、受入部２１では、集積された紙葉類１００のうち、少なくとも最下層の紙葉類は底壁２１２に密着するので、蹴出ローラ２１７による紙葉類１００の分離を正確に行うことができる。
【００２４】
図３に示すように、計数本体部２２は、受入部２１（受入空間）から搬送された紙葉類１００を計数本体部２２内に取り込む取込ローラ２２１と、取込ローラ２２１で取り込まれた紙葉類１００を１枚ずつ分離する分離ローラ２２２と、取り込まれた紙葉類１００を搬送する計数ユニット内搬送機構２２３と、取り込まれた紙葉類１００の検知と取り込み状態の検出を行う検出部２２４と、取り込まれた紙葉類１００の真偽などの識別を行う識別部２２５と、を有して構成されている。この検出部２２４と識別部２２５とにより識別装置が構成される。
【００２５】
取込ローラ２２１と分離ローラ２２２とは、側壁２１３の貫通孔（図示せず）の下流側の近傍に設けられており、各々のローラは紙葉類１００の厚み方向で対向して配置されている。紙葉類１００は、取込ローラ２２１と分離ローラ２２２との間に挟まれて、各々のローラの回転により１枚ずつ計数ユニット内搬送機構２２３に受け渡される。
【００２６】
計数ユニット内搬送機構２２３は、受入部２１から取り込んだ紙葉類１００を計数本体部２２内に搬送する取込搬送路２２３ａと、取込搬送路２２３ａにおける受入部２１と反対側の端部に接続される識別搬送路２２３ｂと、識別搬送路２２３ｂにおける取込搬送路２２３ａの反対側の端部に接続されるリジェクト側搬送路２２３ｃと、リジェクト側搬送路２２３ｃと同じ端部に接続される搬出側搬送路２２３ｄと、を有して構成されている。
【００２７】
取込搬送路２２３ａは、受入部２１における側壁２１３の貫通孔（図示せず）に連結され、受入部２１側から左側に延びて設けられている。この取込搬送路２２３ａにおける取込ローラ２２１と分離ローラ２２２の下流側には検出部２２４が設けられている。
【００２８】
検出部２２４は、計数本体部２２内に紙葉類１００が取り込まれたか否かの検知と、取り込まれた紙葉類１００の搬送状態の検出とを行う。検出部２２４は、搬送される紙葉類１００の光透過率あるいは物理的な厚さから、２枚以上の紙葉類１００が重なった状態で搬送される重送の有無を検出する。また、検出部２２４は、搬送される紙葉類１００の長手方向の両端部の各々の検出タイミングのずれから、紙葉類１００の短辺部が搬送方向に対して傾斜した状態で搬送される斜行の有無を検出する。さらに検出部２２４は、搬送方向で隣り合う紙葉類１００の各々の検知タイミングの間隔から紙葉類１００のニアフィードの有無を検出する。このように計数本体部２２では、検出部２２４により紙葉類１００の重送、斜行、及びニアフィードを検知し、紙葉類１００が正常搬送されているか否かを判断することができる。
【００２９】
識別搬送路２２３ｂは、取込搬送路２２３ａにおける受入部２１と反対側の端部からほぼ直角上側に延びて設けられている。この識別搬送路２２３ｂの途中位置に識別部２２５が設けられている。
【００３０】
識別部２２５は、異なる波長の光を照射する複数の発光素子及びこの発光素子から照射された光を受光する受光素子を有する光学センサ（図示せず）と、識別搬送路２２３ｂに沿って搬送される紙葉類１００に対して発光素子から所定の周波数の光を照射した際の紙葉類１００の画像情報を取得する撮像装置（図示せず）とを有して構成されている。
【００３１】
識別部２２５は、識別搬送路２２３ｂに沿って搬送される紙葉類１００に対して複数の発光素子から可視光及び紫外線を照射する。識別部２２５は、可視光照射時及び紫外線照射時における紙葉類１００の画像情報を撮像装置により取得し、この取得した画像情報と紙葉類１００の種類別に予め作成された基準画像データとを比較して、一致すると判定できる基準画像データの種類を、紙葉類１００の種類（金種）と特定する。
【００３２】
このように一致する基準画像データが存在することにより種類（金種）が特定された紙葉類は識別異常なしの紙葉類１００と特定される。この識別異常無しの紙葉類１００は後述する搬出側搬送路２２３ｄに搬送されて集積ユニット３の共通搬送路３１１に受け渡される。一方、一致する基準画像データが存在せず種類が特定できない紙葉類は識別異常有りの紙葉類１００と特定される。この識別異常有りの紙葉類１００はリジェクト側搬送路２２３ｃに搬送されてリジェクト部２３に収納されるリジェクト紙葉類となる。
【００３３】
リジェクト側搬送路２２３ｃは、識別搬送路２２３ｂの他端に設けられた分岐部からリジェクト部２３の近傍まで延びて設けられている。
【００３４】
リジェクト部２３は、正面から見て、計数ユニット２における右上側の領域に設けられている。リジェクト部２３は、計数ユニット２の右上側における正面及び右側面に亘って常時開口する開口部２３１と、紙葉類１００が載置される底壁２３２と、底壁２３２の左側の縁に沿って設けられ、当該底壁２３２に対して直角上方向に設けられる側壁２３３と、リジェクト部２３の背面側に設けられ、少なくとも開口部２３１の背面全体を覆う背面壁２３４と、羽根車２３５と、を有して構成される。前述した底壁２３２と側壁２３３と背面壁２３４とによりリジェクト紙葉類を収納するリジェクト空間が形成される。
【００３５】
底壁２３２は平坦面となっており、この平坦面にリジェクト紙葉類の一方の面が当接して載置される。底壁２３２は、正面から見て、水平面に対して右上側に傾斜して設けられており、底壁２３２に載置された複数枚のリジェクト紙葉類は、左側に片寄せされる。その結果、底壁２３２に載置された複数枚のリジェクト紙葉類は、各々の長辺部を底壁２３２の左側の縁に沿って設けられた側壁２３３に当接して幅方向の位置が揃えられた状態でリジェクト空間内に集積される。
【００３６】
底壁２３２の上側で、リジェクト側搬送路２２３ｃの端部近傍には羽根車２３５が設けられている。羽根車２３５は、回転軸回りに回転可能に設けられた回転体２３５ａと、この回転体２３５ａの回転軸回りの周方向の全周に亘って等間隔に設けられた複数の羽根体２３５ｂとを有して構成されている。
【００３７】
各々の羽根体２３５ｂは、回転体２３５ａ側の基端部から外側の先端部にかけて、当該回転体２３５ａの回転軸回りの周方向に沿う同一方向に湾曲して形成されている。実施の形態では、各々の羽根体２３５ｂは、回転体２３５ａの回転軸回りの周方向に沿う反時計回り（左回り）に湾曲して設けられている。これにより、リジェクト側搬送路２２３ｃに沿って１枚ずつ搬送されたリジェクト紙葉類は、羽根車２３５の互いに隣接する羽根体２３５ｂと羽根体２３５ｂとの間に１枚ずつ受け渡されてリジェクト空間側に回転しながら搬送される。
【００３８】
互いに隣接する羽根体２３５ｂと羽根体２３５ｂとの間に収容されたリジェクト紙葉類は、前述した側壁２３３に当接して羽根体２３５ｂと羽根体２３５ｂとの間から繰り出されると、回転方向の後方の羽根体２３５ｂにより、底壁２３２側に押されながら底壁２３２の上に順番に載置される。つまり、リジェクト紙葉類は、受入部２１から計数本体部２２内に取り込まれた順番で、リジェクト紙葉類と判断されたものからリジェクト部２３に繰り出されて下から上に順番に集積される。
【００３９】
なお、リジェクト部２３には、リジェクト空間内に集積されたリジェクト紙葉類の有無を検知するリジェクト紙葉類検知センサ（図示せず）と、このリジェクト紙葉類検知センサの検知結果に基づいて点灯状態が切り替えられるリジェクト紙葉類報知部（図示せず）と、が設けられている。
【００４０】
リジェクト紙葉類検知センサ（図示せず）は、リジェクト部２３のリジェクト空間内でのリジェクト紙葉類の有無と集積状態とを検知可能に設けられたセンサである。このセンサとして、光学センサ、磁気センサ、静電容量センサなどの各種センサを用いることができる。光学センサは、透過型センサ又は反射型センサの何れを用いても良く、発光素子から照射された光の受光素子での受光レベルを検知することでリジェクト空間内のリジェクト紙葉類の有無と集積状態とを検知することができる。磁気センサは、リジェクト空間内に発生させた磁束の変化を測定することでリジェクト空間内のリジェクト紙葉類の有無と集積状態とを検知することができる。静電容量センサは、リジェクト空間内の静電容量の変化を測定することでリジェクト空間内のリジェクト紙葉類の有無と集積状態とを検知することができる。
【００４１】
リジェクト紙葉類報知部（図示せず）は、ＬＥＤ（ＬＩＧＨＴ  Ｅｍｉｔｔｉｎｇ  Ｄｉｏｄｅ）などの発光素子を有して構成されている。リジェクト紙葉類報知部は、リジェクト紙葉類検知センサにより検知されたリジェクト空間内のリジェクト紙葉類の検知結果に基づいて報知態様を変動させる。例えば、リジェクト紙葉類報知部は、リジェクト紙葉類検知センサによりリジェクト空間内にリジェクト紙葉類が存在することが検知された場合にはＬＥＤを点灯させ、リジェクト紙葉類検知センサによりリジェクト空間内にリジェクト紙葉類が存在しないことが検知された場合にはＬＥＤを消灯させる。また、リジェクト紙葉類報知部は、リジェクト空間内に集積されたリジェクト紙葉類がフル状態になるとＬＥＤを点滅させる。
【００４２】
前述したリジェクト紙葉類報知部（図示せず）は、オペレータから視認し易い位置に設けられていることが好ましい。例えば、リジェクト部２３の底壁２３２を透明又は半透明の合成樹脂材料などにより形成し、この透明又は半透明の合成樹脂材料などにより形成された底壁２３２の下側に前述したＬＥＤを設けても良い。これにより、リジェクト紙葉類報知部のＬＥＤから照射された光は透明又は半透明の合成樹脂材料などで形成された底壁２３２全体を光らせ、開口部２３１を介してオペレータ（図示せず）に視認可能となる。前述した透明又は半透明の合成樹脂材料の一例として、アクリル樹脂、ポリカーボネート樹脂、ポリエチレンテレフタレート（ＰＥＴ）樹脂などが挙げられる。
【００４３】
また、リジェクト紙葉類報知部（図示せず）は、リジェクト部２３の上側を覆うカバー２３６（図２参照）に設けられていても良い。この場合も、カバー２３６を透明なアクリル樹脂などで形成することで、リジェクト紙葉類報知部のＬＥＤから照射された光は、透明なアクリル樹脂で形成されたカバー２３６全体を光らせ、よりオペレータ（図示せず）の目線に近い高さ位置に配置されるのでオペレータ（図示せず）に視認し易くなる。
【００４４】
ここで、識別搬送路２２３ｂの分岐部から分岐して左側に延びる搬出側搬送路２２３ｄは、集積ユニット３の集積ユニット内搬送機構３１に接続される。
【００４５】
なお、計数ユニット２は、制御部２５を有している。制御部２５は、ＣＰＵ（Ｃｅｎｔｒａｌ  Ｐｒｏｃｅｓｓｉｎｇ  Ｕｎｉｔ）などの演算装置と、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶装置と、を含んで構成されている。ＲＯＭは、計数ユニット２及び集積ユニット３〜６を制御するための制御プログラム、前述した識別部２２５での識別の基準となる基準画像データ（マスタデータ）等を記憶し、ＲＡＭは、識別計数結果のデータ等を記憶する。制御部２５は、ＲＯＭに記憶された制御プログラムを読み込むことで、計数ユニット２及び集積ユニット３〜６を制御するための各機能を実装する。
【００４６】
＜集積ユニット＞
次に、計数ユニット２に接続される集積ユニット３を説明する。
【００４７】
図３に示すように、集積ユニット３は、集積本体部３０と、集積ユニット内搬送機構３１と、集積部３２と、羽根車３３と、制御部３４と、記憶部３５と、光学センサ３６と、状態表示部３７（図２参照）と、を有して構成されている。
【００４８】
ここで、制御部３４と記憶部３５とは集積本体部３０の内部に収納されている。制御部３４は、ＣＰＵなどの演算装置であり、記憶部３５に記憶された制御プログラム実行することで、集積ユニット３の全体制御を行う。記憶部３５は、ＲＯＭやＲＡＭなどの記憶装置であり、この記憶部３５には、集積ユニット３の全体制御を行うための制御プログラムのほか、制御部３４による演算結果などが一時的に記憶される。また、記憶部３５には、集積ユニット３の種別（例えば、集積ユニットや施封ユニットなどの種別）を区別するための種別情報（図９参照）、及び集積ユニット３を識別するための識別情報（ＣＰＵの固有ＩＤ、又は通信装置の固有ＩＤ：図１８参照）が予め記憶されている。
【００４９】
図５に示すように、集積本体部３０は概ね直方体を成す筒形状の部材である。集積本体部３０の計数ユニット２側（右側）及び他の集積ユニット４〜６側（左側）には他のユニットと仕切るための仕切壁３０１、３０１がそれぞれ設けられている。
【００５０】
集積本体部３０における計数ユニット２側の仕切壁３０１の上側には、２つのユニット結合用ピン３０２、３０２が同じ高さ位置で前後方向に互いに間隔を空けて設けられている。このユニット結合用ピン３０２、３０２は、計数ユニット２における集積ユニット側の仕切壁（図示せず）の対応する位置に設けられたユニット結合孔（図示せず）、又は他の集積ユニットにおける仕切壁の対応する位置に設けられたユニット結合孔３０３（図６参照）に嵌合するようになっている。これにより、計数ユニット２と各々の集積ユニット３〜６とは、上下方向及び左右方向の位置を一致させた状態で位置決めされて一体的に連結固定される。
【００５１】
図３に戻って、集積ユニット内搬送機構３１は、共通搬送路３１１と分岐搬送路３１２とを有して構成されている。共通搬送路３１１と分岐搬送路３１２とは、別々の駆動モータにより各々独立に駆動されるようになっている。
【００５２】
共通搬送路３１１は、集積本体部３０の上側で水平方向（左右方向）に設けられている。共通搬送路３１１の計数ユニット２側には搬送入口部３１１ａ（図５参照）が設けられている。搬送入口部３１１ａは、集積ユニット３に計数ユニット２が接続された状態で計数ユニット２の搬出側搬送路２２３ｄと連続的に接続される。よって、集積ユニット３の共通搬送路３１１と計数ユニット２の搬出側搬送路２２３ｄとが一体的に連結し、計数ユニット２の搬出側搬送路２２３ｄから搬送された紙葉類１００は集積ユニット３の共通搬送路３１１に受け渡される。
【００５３】
図３に示すように、共通搬送路３１１において、搬送入口部３１１ａの下流側には紙葉類１００を検知するための光学センサ３６が設けられている。光学センサ３６は、共通搬送路３１１に沿って搬送される紙葉類１００を検知可能な位置に配置されている。光学センサ３６は、共通搬送路３１１に沿って搬送される紙葉類１００を検知した場合、紙葉類１００を検知したことを示す信号を生成して計数ユニット２の制御部２５に送信する。
【００５４】
共通搬送路３１１の計数ユニット２と反対側（集積ユニット４側）には搬送出口部３１１ｂ（図６参照）が設けられている。搬送出口部３１１ｂは、集積ユニット３における計数ユニット２と反対側に集積ユニット４が接続された状態で集積ユニット４における共通搬送路４１１の搬送入口部４１１ａと連続的に接続される。よって、集積ユニット３の共通搬送路３１１と集積ユニット４の共通搬送路４１１とが一体的に連結し、集積ユニット３の共通搬送路３１１から搬送された紙葉類１００は集積ユニット４の共通搬送路４１１に受け渡される。
【００５５】
図３に戻って、共通搬送路３１１の搬送出口部３１１ｂ側には、共通搬送路３１１が設けられる水平方向とは異なる方向に分岐搬送路３１２が設けられている。
【００５６】
分岐搬送路３１２は、共通搬送路３１１から直角下側方向に設けられている。共通搬送路３１１に沿って搬送される紙葉類１００の搬送方向が分岐搬送路３１２側に切り替えられることで、紙葉類１００は分岐搬送路３１２に沿って水平方向と異なる直角下側方向に搬送される。共通搬送路３１１上で搬送される紙葉類１００を、連設される集積ユニット４の共通搬送路４１１側に搬送するのか、分岐搬送路３１２に搬送するのかの切り替えは、搬送振分機構（図示せず）により行われる。この搬送振分機構（図示せず）により、紙葉類１００を、連設される集積ユニット４の共通搬送路４１１側に搬送するのか、分岐搬送路３１２側に搬送するのかが選択されて紙葉類１００の搬送方向が切り替えられる。
【００５７】
この分岐搬送路３１２の複数の途中位置からほぼ水平方向に水平搬送路３１２ａが設けられている。実施の形態では、分岐搬送路３１２のほぼ等間隔の途中位置の４箇所から水平搬送路３１２ａがほぼ水平方向に設けられており、各々の水平搬送路３１２ａは対応する集積部３２の近傍まで設けられている。紙葉類１００を分岐搬送路３１２から何れの水平搬送路３１２ａに振り分けるかの選択と振分は、前述した搬送振分機構と同様の搬送振分機構（図示せず）により行われる。
【００５８】
各々の水平搬送路３１２ａにおける集積部３２側の端部には羽根車３３が設けられている。羽根車３３は、水平搬送路３１２ａの端部近傍に設けられた回転軸回りに回転可能に設けられている。羽根車３３は、前述した羽根車２３５と同様の構成を有しており、回転軸回りに回転可能に設けられた回転体３３１と、この回転体３３１の回転軸回りの周方向の全周に亘って等間隔に設けられた複数の羽根体３３２とを有して構成されている。
【００５９】
各々の羽根体３３２は、回転体３３１側の基端部から外側の先端部にかけて、当該回転体３３１の回転軸回りの周方向に沿って同一方向に湾曲して形成されている。実施の形態では、各々の羽根体３３２は、回転体３３１の回転軸回りの周方向に沿う反時計回り（左回り）に湾曲して設けられている。これにより、水平搬送路３１２ａに沿って搬送された紙葉類１００は、羽根車３３の互いに隣接する羽根体３３２と羽根体３３２との間に１枚ずつ受け渡されて集積部３２側に回転しつつ搬送される。
【００６０】
互いに隣接する羽根体３３２と羽根体３３２との間に収容された紙葉類１００は、後述する集積部３２の収容底壁３２２に当接して羽根体３３２と羽根体３３２との間から繰り出されて、回転方向の後方の羽根体３３２により、収容底壁３２２側に押されながら集積部３２に順番に集積される。
【００６１】
図２に示すように、集積部３２は、集積ユニット３において集積本体部３０の上下方向に複数設けられている。実施の形態の集積ユニット３では、４個の集積部３２が集積本体部３０の上下方向でほぼ等間隔に設けられている。各々の集積部３２は同一の構成であるので、本明細書では４個の集積部３２のうちの一つの集積部３２について説明する。
【００６２】
集積部３２は、正面側に常時開口する開口部３２１と、収容底壁３２２と、少なくとも開口部３２１の背面側を覆う収容背面壁３２３と、紙葉類１００が載置される摺動ステージ３２４と、を有して構成されている。集積部３２の収容底壁３２２と収容背面壁３２３と摺動ステージ３２４とにより複数の紙葉類１００を集積して収容する集積空間が形成される。
【００６３】
集積部３２の収容底壁３２２は平坦面となっており、この平坦面に羽根車３３から１枚ずつ繰り出された紙葉類１００の長辺部が当接して集積される。収容底壁３２２の平坦面は水平面に対して右下側に傾斜して設けられている。よって収容底壁３２２に載置された複数枚の紙葉類１００は長辺部を収容底壁３２２に当接させた状態で左側に片寄せされて一方の面が摺動ステージ３２４（後述する可動壁３２４ａ）に当接する。よって、紙葉類１００は幅方向の位置が揃えられた状態で集積空間内に集積される。
【００６４】
摺動ステージ３２４は、紙葉類１００の一方の面が当接する可動壁３２４ａと、この可動壁３２４ａを集積本体部３０の正面方向及び背面方向にスライドさせるスライド機構３２４ｂ（図４参照）と、を有して構成されている。
【００６５】
可動壁３２４ａは、収容底壁３２２の右側の縁に沿って設けられており、収容底壁３２２の右側の縁に沿って設けられた軸を回転軸として所定の角度範囲で回動可能に設けられている。実施の形態では、可動壁３２４ａは、収容底壁３２２に対してほぼ直角状態で位置する取出位置Ｐ１（図２の上から２段目の集積部３２における可動壁３２４ａの位置）と、この取出位置Ｐ１よりも収容底壁３２２に近づく方向（反時計回り）に所定角度だけ回動した集積位置Ｐ２（図２の最上段の集積部３２における可動壁３２４ａの位置）との間で回動可能に設けられている。
【００６６】
可動壁３２４ａが集積位置Ｐ２にある場合、この可動壁３２４ａは鉛直線に対して取出位置（収容底壁３２２）側に僅かに倒れた状態で位置する。よって、可動壁３２４ａに複数枚の紙葉類１００が集積した状態で当接すると、紙葉類１００の自重により可動壁３２４ａが取出位置Ｐ１側に押圧される。
【００６７】
一方、可動壁３２４ａは、バネなどの付勢部材３２４ｃ（図２参照）により集積位置Ｐ２方向に付勢されている。可動壁３２４ａに集積された紙葉類１００の自重がバネの付勢力よりも大きくなると、可動壁３２４ａは、この可動壁３２４ａに集積された紙葉類１００の枚数に応じた量だけ取出位置Ｐ１の方向へ回動し、可動壁３２４ａに所定枚数（例えば、３００枚）以上の紙葉類１００が集積された場合、可動壁３２４ａは取出位置Ｐ１まで回動して停止する。
【００６８】
図４に示すように、スライド機構３２４ｂは、可動壁３２４ａを正面方向及び背面方向にスライド可能に支持するガイド（図示せず）と、ガイドに沿って可動壁３２４ａを正面方向又は背面方向にスライドさせる駆動モータ（図示せず）と、を有して構成されている。
【００６９】
集積ユニット３では、駆動モータを駆動させて可動壁３２４ａをガイドに沿って正面方向にスライドさせることで、可動壁３２４ａに集積された紙葉類１００の長手方向の少なくとも一部を集積部３２の開口部３２１の外側に位置させることができる（図４の上から２段目の集積部３２における可動壁３２４ａの位置）。この結果、集積ユニット３では、オペレータ（図示せず）による集積部３２からの紙葉類１００の取り出しを容易に行うことができる。
【００７０】
なお、集積部３２には、前述したリジェクト紙葉類報知部（図示せず）と同様の構成の紙葉類報知部（図示せず）が設けられており、集積部３２における紙葉類の有無、フル状態などに応じたＬＥＤの点灯、消灯、点滅などの報知が行われる。
【００７１】
図４に示すように、集積本体部３０において、各々の集積部３２に隣接する左側には、各々の集積部３２に対応して状態表示部３７が設けられている。
【００７２】
状態表示部３７は、液晶表示部３７ａを有しており、この液晶表示部３７ａに集積部３２の集積空間内に集積された紙葉類１００の枚数等の状態を表示する。
【００７３】
なお、図１に示すように、実施の形態では、計数ユニット２に集積ユニット３〜６がこの順番で接続されている。集積ユニット４は３個の集積部４２を有しており、集積ユニット５は２個の集積部５２を有しており、集積ユニット６は１個の集積部６２を有している。これらの集積ユニット４〜６は、各々の集積ユニット４〜６に設けられている集積部４２、５２、６２の数が異なるのみで、集積ユニット内搬送機構４１、５１、６１や搬送振分機構（図示せず）などは、前述した集積ユニット内搬送機構３１や搬送振分機構（図示せず）と同様の構成で同じ（共通の）機能を有している。集積ユニット４〜６において、前述した集積ユニット３と同様の構成については、詳細な説明は省略し必要に応じて説明する。
【００７４】
前述したように、媒体処理装置１では、媒体の種類数や処理内容に応じて様々な機能を有する異なる種類の増設ユニットが計数ユニット２に接続（増設）される。例えば、媒体処理装置１では、１又は複数種類の集積ユニット及び／又は集積された紙葉類を施封する施封ユニットなどを計数ユニット２に接続することができる。これにより、媒体処理装置１では、ユーザが求める機能（分類や施封など）の変化に柔軟に対応でき、設計変更を行うことなくバリエーションを容易に増やすことができる。
【００７５】
また、前述したように、媒体処理装置１では、集積部の数が異なる複数種類の集積ユニット３〜６が計数ユニット２に接続されている。集積ユニット３〜６の接続端子にはそれぞれ接続ケーブルが接続されており、この接続ケーブルは、計数ユニット２に設けられた接続ポートに接続されている。
【００７６】
ここで、計数ユニットでは、受入部に投入された紙葉類を、紙葉類の種類別に予め設定された目的とする集積ユニットのどの集積部に振り分けて集積するのかを判断するため、計数ユニットに接続された集積ユニットの接続順序を設定する必要がある。そのため、媒体処理装置を設置する設置作業者は、各集積ユニットの接続ケーブルを、計数ユニットに設けられた所定の接続ポートに順序通りに接続する必要がある。しかしながら計数ユニットに接続する集積ユニットの数が多くなると、設置作業者は、計数ユニットの接続ポートに接続する集積ユニットの接続ケーブルの接続順序を間違えてしまう恐れがある。
【００７７】
そのため、実施の形態にかかる媒体処理装置１では、設置作業者による計数ユニット２の接続ポートに対する各集積ユニット３〜６の接続ケーブルの接続順序に関係なく、計数ユニット２に対する集積ユニット３〜６の接続順序の設定を正確に行えるようにした。
【００７８】
＜増設ユニットの接続例＞
以下、計数ユニット２に対する集積ユニット３〜６の接続例を説明する。
【００７９】
図７は、計数ユニット２に対する集積ユニット３〜６の接続順序の設定方法を説明する図である。
図８は、計数ユニット２と集積ユニット３〜６とをパラレル接続した場合の接続順序の設定方法を説明する図である。
図９は、計数ユニット２と集積ユニット３〜６とをパラレル接続した場合の接続関係の一例を示す図である。
図１０は、計数ユニット２と集積ユニット３〜６とをパラレル接続した場合において、各集積ユニットで生成された受信信号の計数ユニットでの受信状況の一例を説明する図である。
【００８０】
図８に示すように、実施の形態に係る媒体処理装置１では、計数ユニット２に４台の異なる種類の集積ユニット３、４、５，６がこの順序で互いに連結されており、集積ユニット３〜６の各々に設けられた接続ポート３０ａ、４０ａ、５０ａ、６０ａと、計数ユニット２に設けられた接続ポートＰ１〜Ｐｎと、が接続ケーブル３８、４８、５８、６８により接続されている。よって、集積ユニット３〜６と計数ユニット２とは接続ケーブル３８、４８、５８、６８によりパラレル接続されており、この接続ケーブルを介して情報の送受信が行われる。媒体処理装置１では、計数ユニット２に設けられた接続ポートＰ１〜Ｐｎの数が、１台の計数ユニット２に接続可能な集積ユニットの最大限度数となる。
【００８１】
図８及び図９に示すように、媒体処理装置１では、４個の集積部３２を有する集積ユニット３の接続ポート３０ａに接続される接続ケーブル３８は計数ユニット２の接続ポートＰ１に接続され、３個の集積部４２を有する集積ユニット４の接続ポート４０ａに接続される接続ケーブル４８は計数ユニット２の接続ポートＰ３に接続され、２個の集積部５２を有する集積ユニット５の接続ポート５０ａに接続される接続ケーブル５８は計数ユニット２の接続ポートＰ２に接続され、１個の集積部６２を有する集積ユニット６の接続ポート６０ａに接続される接続ケーブル６８は計数ユニット２の接続ポートＰ４に接続されている。
【００８２】
図７及び図１０に示すように、紙葉類１００が各集積ユニット３〜６の共通搬送路３１１、４１１、５１１、６１１に沿って搬送されると、各共通搬送路に設けられた光学センサ３６、４６、５６、６６により各共通搬送路を通過する紙葉類１００が検知される。
【００８３】
紙葉類処理装置１では、初めに集積ユニット３の共通搬送路３１１における紙葉類１００の通過が光学センサ３６により検知され、光学センサ３６で生成された検知信号とユニット種別情報とが計数ユニット２の接続ポートＰ１に送信される。
【００８４】
その後、集積ユニット４〜６の共通搬送路４１１、５１１、６１１における紙葉類１００の通過が各々の共通搬送路に設けられた光学センサ４６、５６、６６により検知され、光学センサ４６、５６、６６で検知された順番に、各光学センサで生成された検知信号とユニット種別情報とが計数ユニット２の接続ポートＰ３、Ｐ２、Ｐ４に送信される。
【００８５】
＜表示画面＞
前述したように媒体処理装置１に関する情報は操作表示部２４の表示画面２４１に表示される。ここで、操作表示部２４の表示画面２４１の表示例を説明する。
【００８６】
図１１は、操作表示部２４の表示画面２４１の表示例を説明する図である。
図１１に示すように、操作表示部２４を正面から見て、表示画面２４１には上下方向に延在する第１表示領域２４１１が設けられている。この第１表示領域２４１１は、表示画面２４１の左端部に沿って上下方向に直線状に設けられている。
【００８７】
第１表示領域２４１１には、複数の機能選択ボタン（操作ボタン）２４１１ａ〜２４１１ｃが設けられており、何れかの機能選択ボタン２４１１ａ〜２４１１ｃを選択することで、当該機能選択ボタンに応じた各種設定や制御が行われる。
【００８８】
操作表示部２４を正面から見て、表示画面２４１には第１表示領域２４１１の下側端部から右方向に向けて第２表示領域２４１２が設けられている。この第２表示領域２４１２は、表示画面２４１の下側に沿って直線状に設けられている。
【００８９】
第２表示領域２４１２には、前述した媒体処理装置１の計数ユニット２と、この計数ユニット２に接続される集積ユニット３や終端収容カバー７等との接続状態を示す装置接続状態図２４１２ａが表示されている。装置接続状態図２４１２ａには、媒体処理装置１のベースとなる計数ユニット２にどのような集積ユニット３や施封ユニット（図示せず）、終端収容カバー７等が接続されているかが示されている。実施の形態では、計数ユニット２に、４つの集積ユニット３が接続されていると共に、この４つの集積ユニット３の最後の集積ユニット３に終端収容カバー７が接続されている場合が示されており、紙幣が集積されている集積部３２は、カラー表示されるなど視認性をよくし、オペレータに分かり易くなっている。
【００９０】
より詳細に説明すると、後述するようにして、複数のユニットの設定作業により決定ないしは認識されたユニットの数及びその種類に応じて生成された装置接続状態図２４１２ａが第２表示領域２４１２に表示されるようになっている。すなわち、制御部２５が、図１のような装置構成であると認識すると、集積ユニット３が４台接続されると共に、最後の集積ユニット３の後方に終端収容カバー７が接続された装置接続状態図２４１２ａを表示することになる。また、ユニットの増減を行い、ユニットの設定作業を行うことで、制御部２５は、新たな接続構成を認識し、それに対応した装置接続状態図２４１２ａを表示する。
【００９１】
前述したように、第１表示領域２４１１と第２表示領域２４１２とは、正面視において概ねＬ字形状を成しており、それぞれの領域に所定の機能選択ボタン２４１１ａ〜２４１１ｃ及び機能選択ボタン２４１２ｂ，２４１２ｃが配置されている。また、表示画面２４１には、第１表示領域２４１１と第２表示領域２４１２とにより区画される第３表示領域２４１３が設けられている。
【００９２】
第３表示領域２４１３には、例えば、第１表示領域２４１１の機能選択ボタン２４１１ａ〜２４１１ｃで所定の設定を選択した場合、当該選択した設定における設定画面が表示される。また、第３表示領域２４１３には、例えば、媒体処理装置１で計数した貨幣の計数結果や、計数ユニット２と集積ユニット３、終端収容カバー７との接続状態を示す図などが表示される。
【００９３】
なお、前述した第１表示領域２４１１や第２表示領域２４１２の幅は、機能選択ボタン２４１１ａ〜２４１１ｃ，２４１２ｂ，２４１２ｃや装置接続状態図２４１２ａの大きさや幅に応じて自動的に可変するようになっており、機能選択ボタン２４１１ａ〜２４１１ｃ，２４１２ｂ，２４１２ｃの有無に応じて一部が拡大または縮小するようになっている。
【００９４】
＜増設ユニットの接続順序の設定方法＞
次に計数ユニット２に対する集積ユニット３〜６の接続順序の設定方法を説明する。
【００９５】
媒体処理装置１は、計数ユニット２の受入部２１に投入された紙葉類１００を、紙葉類の種類別に何れかの集積ユニット３〜６の集積部３２、４２、５２、６２に振り分けて集積する集積モードと、計数ユニット２の受入部２１に投入された紙葉類１００を、集積ユニット３〜６の何れにも振り分けずに、各々の集積ユニット３〜６の共通搬送路３１１、４１１、５１１、６１１を通過させて終端収容カバー７まで搬送する接続順序設定モードとを有する。
【００９６】
以下で説明する計数ユニット２に対する集積ユニット３〜６の接続順序の設定は、前述した接続順序設定モードで行われる。この接続順序設定モードは、媒体処理装置１の設置を行う設置作業者が計数ユニット２に対する増設ユニットの接続順序を設定するため、媒体処理装置１を設置する際に実行される。
【００９７】
＜計数ユニットにおける接続順序設定処理＞
初めに計数ユニット２の制御部２５で行われる接続順序設定処理を説明する。
図１２は、媒体処理装置１の計数ユニット２で行われる接続順序設定処理を示すフローチャートである。
【００９８】
図１２に示すように、ステップＳ１０１において、計数ユニット２の制御部２５は、計数ユニット２の受入部２１に投入された紙葉類１００を、蹴出ローラ２１７により計数ユニット２の計数本体部２２内に取り込んだ後、計数ユニット内搬送機構２２３により集積ユニット３の集積ユニット内搬送機構３１に受け渡す。
【００９９】
ステップＳ１０２において、制御部２５は、集積ユニット内搬送機構３１（共通搬送路３１１）に沿って搬送される紙葉類１００を光学センサ３６で検知することで生成された検知信号と、当該集積ユニット３のユニット種別情報とを集積ユニット３から受信したか否かを判断する。
【０１００】
制御部２５は、光学センサ３６からの検知信号と、集積ユニット３のユニット種別情報とを受信したと判断した場合（ステップＳ１０２：ＹＥＳ）、ステップＳ１０３の処理に進み、光学センサ３６からの検知信号と、集積ユニット３のユニット種別情報とを受信していないと判断した場合（ステップＳ１０２：ＮＯ）、ステップＳ１０６に進む。
【０１０１】
ステップＳ１０３において、制御部２５は、集積ユニット３から受信した検知信号の受信の順番を示す順序カウンタ「ｎ」の値を「＋１」インクリメントする。実施の形態では、接続順序設定モードの開始時には順序カウンタ「ｎ」は初期値として「０」に設定されており、集積ユニット３の光学センサ３６から紙葉類１００を検知した際に生成される検知信号を受信すると、順序カウンタ「ｎ」の値が「１」となる。これにより、制御部２５は、集積ユニット３から受信した検知信号が１番目に受信したものであり集積ユニット３の接続順序が１番であると判断する。よって、制御部２５は、計数ユニット２の接続ポートＰ１に接続されている増設ユニットは集積ユニット３であり、この集積ユニット３は１番目に接続されていると判断する。
【０１０２】
ステップＳ１０４において、制御部２５は、ステップＳ１０３でインクリメントした後の順序カウンタ「ｎ（＝１）」の値を、当該制御部２５のＲＯＭなどの記憶装置（図示せず）に記憶する。
【０１０３】
ステップＳ１０５において、制御部２５は、紙葉類１００の検知信号とユニット種別情報との送信元である集積ユニット３の制御部３４に、ステップＳ１０３で算出した順序カウンタ「ｎ（＝１）」の値を送信する。実施の形態では、制御部２５は、集積ユニット３の制御部３４に順序カウンタ「１」を送信して、ステップＳ１０２の処理に戻る。
【０１０４】
次に、制御部２５は、集積ユニット３の光学センサ３６から紙葉類１００を検知したことを示す検知信号とユニット種別情報とを受信していないと判断した場合（ステップＳ１０２：ＮＯ）、ステップＳ１０６において、集積ユニット３から紙葉類１００の検知信号を受信しない時間Ｔｘが所定時間Ｔｎを越えた（Ｔｘ＞Ｔｎ）か否かを判断する。実施の形態の一例では、所定時間Ｔｎは「３秒」に設定されており、制御部２５は、集積ユニット３の光学センサ３６からの検知信号を「３秒」を越えて受信されていないと判断した場合（ステップＳ１０６：ＹＥＳ）、集積ユニット３内における紙葉類１００の搬送エラー（ジャム）、又は集積ユニット３が計数ユニット２に接続された最後の集積ユニットであると判断して接続順序設定モードを終了する。
【０１０５】
ステップＳ１０６において、制御部２５は、集積ユニット３の光学センサ３６から検知信号を受信していない時間Ｔｘが所定時間Ｔｎ（３秒）を越えていないと判断した場合（ステップＳ１０６：ＮＯ）、ステップＳ１０２の処理に戻って、光学センサから検知信号を受信していない時間Ｔｘが所定時間Ｔｎを越えたと判断するまで、集積ユニットからの検知信号の受信を待つ。
【０１０６】
制御部２５は、前述したステップＳ１０１〜Ｓ１０６の処理を、紙葉類１００が全ての集積ユニット３〜６を通過するまで繰り返し行う。
【０１０７】
＜集積ユニットにおける紙葉類検知処理＞
次に集積ユニット３の制御部３４で行われる紙葉類検知処理を説明する。この紙葉類検知処理は、前述した接続順序設定モードで行われる。
【０１０８】
図１３は、集積ユニット３の制御部３４で行われる紙葉類検知処理を示すフローチャートである。
【０１０９】
図１３に示すように、ステップＳ２０１において、集積ユニット３の制御部３４は、搬送振分機構（図示せず）を制御し、計数ユニット２の搬出側搬送路２２３ｄから受け入れた紙葉類１００を、分岐搬送路３１２側には搬送せず、共通搬送路３１１に沿って集積ユニット４の共通搬送路４１１に搬送して受け渡す。
【０１１０】
ステップＳ２０２において、制御部３４は、共通搬送路３１１に沿って搬送される紙葉類１００を光学センサ３６で検知したか否かを判断する。
【０１１１】
制御部３４は、共通搬送路３１１に沿って搬送される紙葉類１００を光学センサ３６で検知したと判断した場合（ステップＳ２０２：ＹＥＳ）、ステップＳ２０３において、光学センサ３６で紙葉類１００を検知したことに基づいて生成される検知信号を計数ユニット２の制御部２５に対して送信して処理を終了する。
【０１１２】
一方、制御部３４は、共通搬送路３１１に沿って搬送される紙葉類１００を光学センサ３６で検知していないと判断した場合（ステップＳ２０２：ＮＯ）、ステップＳ２０４の処理を行う。
【０１１３】
ステップＳ２０４において、制御部３４は、光学センサ３６により紙葉類１００を検知しない時間Ｔｘが所定時間Ｔｎを越えた（Ｔｘ＞Ｔｎ）か否かを判断する。実施の形態の一例では、所定時間Ｔｎは「３秒」に設定されており、制御部３４は、光学センサ３６により紙葉類１００を検知しない時間Ｔｘが「３秒」を越えたと判断した場合（ステップＳ２０４：ＹＥＳ）、集積ユニット３内における紙葉類１００の搬送エラー（例えば、ジャム）などが発生したと判断して処理を終了する。
【０１１４】
一方、制御部３４は、光学センサ３６により紙葉類１００を検知しない時間Ｔｘが「３秒」以下であると判断した場合（ステップＳ２０４：ＮＯ）、ステップＳ２０２に戻って光学センサ３６により紙葉類１００を検知したか否かの判断を、光学センサ３６により紙葉類１００を検知しない時間Ｔｘが所定時間「３秒」を越えるまで継続して行う。
【０１１５】
＜集積ユニットにおける接続順序記憶処理＞
次に、集積ユニット３の制御部３４で行われる接続順序記憶処理を説明する。この接続順序記憶処理は、前述した接続順序設定モードで行われる。
【０１１６】
図１４は、集積ユニット３の制御部３４で行われる接続順序記憶処理を示すフローチャートである。
【０１１７】
図１４に示すように、ステップＳ３０１において、集積ユニット３の制御部３４は、計数ユニット２の制御部２５から順序カウンタ「ｎ」の値を受信したか否かを判断する（図１２のステップＳ１０５）。制御部３４は、順序カウンタ「ｎ」の値を受信したと判断した場合（ステップＳ３０１：ＹＥＳ）、ステップＳ３０２の処理に進む。一方、制御部３４は、順序カウンタ「ｎ」の値を受信していないと判断した場合（ステップＳ３０１：ＮＯ）、制御部２５から順序カウンタ「ｎ」の値を受信するまで待つ。なお、実施の形態では、制御部３４が最初に受信する順序カウンタ「ｎ」の値は「１」である。
【０１１８】
ステップＳ３０２において、制御部３４は、計数ユニット２の制御部２５から受信した順序カウンタ「ｎ（＝１）」の値を記憶部３５に記憶して処理を終了する。
【０１１９】
ここで、集積ユニット３の制御部３４は、所定の送信要求に応じて、記憶部３５に記憶された順序カウンタ「ｎ（＝１）」の値を、計数ユニット２の制御部２５に対して送信する。
【０１２０】
＜集積ユニットにおける接続順序送信処理＞
次に、集積ユニット３の制御部３４で行われる接続順序送信処理を説明する。この接続順序送信処理は、前述した接続順序設定モードで行われる。
【０１２１】
図１５は、集積ユニット３の制御部３４で行われる接続順序送信処理を示すフローチャートである。
【０１２２】
ステップＳ４０１において、集積ユニット３の制御部３４は、計数ユニット２の制御部２５から接続順序の送信要求があるか否かを判断する。
【０１２３】
制御部３４は、計数ユニット２の制御部２５から接続順序の送信要求があると判断した場合（ステップＳ４０１：ＹＥＳ）、ステップＳ４０２において、記憶部３５に記憶した順序カウンタ「ｎ（＝１）」の値を計数ユニット２の制御部２５に対して送信する。
【０１２４】
一方、制御部３４は、計数ユニット２の制御部２５から接続順序の送信要求がないと判断した場合（ステップＳ４０１：ＮＯ）、送信要求があるまで待つ（ステップＳ４０１の処理を繰り返す）。
【０１２５】
前述した接続順序の送信要求の一例としては、媒体処理装置１の主電源が切断された場合が挙げられる。媒体処理装置１の主電源の切断により制御部２５のＲＡＭなどに記憶された増設ユニットの接続順序の記憶内容が消去された場合でも、計数ユニット２の制御部２５は、各々の増設ユニットに記憶された接続順序を取得することができる。よって、媒体処理装置１では、接続順序設定モードに設定して、再度、紙葉類１００を搬送して集積ユニット３〜６の接続順序を設定する作業を行うことなく、集積ユニット３〜６の接続順序を再設定することが出来る。
【０１２６】
ここで、計数ユニット２の制御部２５は、接続順序の送信要求を行い、各々の増設ユニット（実施の形態では、集積ユニット３〜６）から前回の接続順序設定処理で受信した一連の順序カウンタ「ｎｘ」の値と、今回の接続順序設定処理で受信した一連の順序カウンタ「ｎｔ」の値とに基づいて、増設ユニットの接続順序の変更、増設ユニットの種類の変更、増設ユニットの増減などの連続性をチェックすることが出来る。
【０１２７】
＜連続性チェック処理＞
次に、計数ユニット２の制御部２５による増設ユニットの連続性チェックの処理を説明する。
【０１２８】
図１６は、計数ユニット２の制御部２５で行われる増設ユニットの連続性チェックの処理を示すフローチャートである。
【０１２９】
ステップＳ５０１において、計数ユニット２の制御部２５は、当該制御部２５のＲＯＭなどの記憶装置（図示せず）に記憶した各集積ユニット３〜６（増設ユニット）から受信した前回の接続順序設定処理で取得した各集積ユニット３〜６の一連の順序カウンタ「ｎｘ」の値を呼び出す。
【０１３０】
ステップＳ５０２において、計数ユニット２の制御部２５は、今回の接続順序設定処理で取得した各集積ユニット３〜６の一連の順序カウンタ「ｎｔ」の値を呼び出す。
【０１３１】
ステップＳ５０３において、制御部２５は、前回取得した一連の順序カウンタ「ｎｘ」の値と、各集積ユニット（増設ユニット）から今回受信した一連の順序カウンタ「ｎｔ」の値とを比較し、今回受信した一連の順序カウンタ「ｎｔ」の値と、前回受信した一連の順序カウンタ「ｎｘ」の値とが全て一致している場合（ｎｔ＝ｎｘ）にはステップＳ５０４の処理に進み、少なくとも一部が異なる場合（ｎｔ＞ｎｘ又はｎｔ＜ｎｘ）、ステップＳ５０５の処理に進む。
【０１３２】
ステップＳ５０４において、制御部２５は、前回取得した一連の順序カウンタ「ｎｘ」の値と、今回取得した一連の順序カウンタ「ｎｔ」とが完全に一致していると判断した場合（ステップＳ５０４：ＹＥＳ）、制御部２５は、計数ユニット２に接続された集積ユニット３〜６（増設ユニット）の接続状態（接続順序や増減、ユニットの種類）に変化がないと判断する。
【０１３３】
一方、制御部２５は、前回取得した一連の順序カウンタ「ｎｘ」の値と、今回取得した一連の順序カウンタ「ｎｔ」とが、少なくとも一部が異なると判断した場合（ステップＳ５０４：ＮＯ）、ステップＳ５０５において、制御部２５は、計数ユニット２に接続された集積ユニット３〜６（増設ユニット）の接続状態（接続順序や増減、ユニットの種類）が変化したと判断する。
【０１３４】
そして、ステップＳ５０６において、制御部２５は、紙葉類１００を再度搬送して各集積ユニットの接続順序の再設定が必要であることを操作表示部２４（図１）に表示することで設置作業者に接続順序の再設定を要求して処理を終了する。
【０１３５】
なお、前述した実施の形態では、計数ユニット２の制御部２５は、接続順序設定モード中に、集積ユニット３〜６の光学センサ３６、４６、５６、６６の何れからも紙葉類１００を検知したことを示す検知信号が入力されない状態で所定時間Ｔｎが経過した場合、接続順序設定モードを終了し、この接続順序設定モード中に最後に受信した光学センサ３６、４６、５６、６６からの検知信号を出力した集積ユニット３〜６を、計数ユニット２から最も遠い最後の集積ユニット３〜６と判断する場合を例示した。しかしながら、計数ユニット２に接続された集積ユニット３〜６のうち最後に接続された集積ユニット３〜６の検出方法は、これに限定されるものではない。
【０１３６】
例えば、媒体処理装置１の設置作業を行う設置作業者（図示せず）が、計数ユニット２の操作表示部２４から計数ユニット２に接続する集積ユニット（増設ユニット）の数を予め入力してもよい。このようにすると、制御部２５では、予め入力された集積ユニットの数と、順序カウンタ「ｎ」の値とを比較し、インクリメントされた後の順序カウンタ「ｎ」の値が入力された数と一致した場合に、当該順序カウンタ「ｎ」を送信した集積ユニット３〜６を計数ユニット２に最後に接続された集積ユニットであると判断することが出来る。
【０１３７】
また、媒体処理装置１では、計数ユニット２に順次接続された複数の集積ユニット３〜６（実施の形態では、集積ユニット６）の下流側の最後に終端収容カバー７を取り付けることで計数ユニット２に接続された最後の集積ユニットを検出するようにしてもよい。具体的には、終端収容カバー７が取り付けられたことを集積ユニット３〜６側で検出し、この終端収容カバー７が取り付けられたことを示す信号を計数ユニット２の制御部２５に送信する。このようにすると、制御部２５は、この終端収容カバー７が取り付けられたことを示す信号を送信した集積ユニット３〜６が計数ユニット２の最後に接続されたユニットであると判断することができる。この場合、集積ユニット３〜６の各々に専用の検知センサを設けても良いが、集積ユニット３〜６の共通搬送路３１１、４１１、５１１、６１１に設けられた光学センサの光軸を横切るように終端収容カバー７を設けることで、光学センサにより終端収容カバー７を検知することができる。これにより、従来の構成をそのまま使用でき、製品コストを抑えることができる。
【０１３８】
以上で説明した通り、実施の形態では、
（１）計数ユニット２（第１のユニット）と、当該計数ユニット２に接続される複数の集積ユニット３〜６（第２のユニット）とを有する媒体処理装置１であって、複数の集積ユニット３〜６は、紙葉類１００（媒体）を搬送する共通搬送路３１１、４１１、５１１、６１１（搬送機構）と、共通搬送路３１１、４１１、５１１、６１１により搬送される紙葉類１００を検知する光学センサ３６、４６、５６、６６（媒体検知部）とをそれぞれ有し、計数ユニット２に対する複数の集積ユニット３〜６の接続順序を、複数の集積ユニット３〜６の光学センサ３６、４６、５６、６６が紙葉類１００を検知したことを示す信号に基づいて決定する構成とした。
【０１３９】
このように構成すると、媒体処理装置１は、計数ユニット２に対する複数の集積ユニット３〜６の接続順序を、集積ユニット３〜６の各々から受信した紙葉類１００の検知信号に基づいて決定するので、計数ユニット２に対する複数の集積ユニット３〜６の接続順序の設定を正確かつ容易に自動的に行うことができる。また、物理的な設定手段（スイッチ等）を設ける必要が無く、製品コストの低減を行うことができる。
【０１４０】
（２）計数ユニット２は、複数の集積ユニット３〜６の光学センサ３６、４６、５６、６６の各々から送信された紙葉類１００を検知したことを示す検知信号を受信した順序に基づいて、当該計数ユニット２に対する複数の集積ユニット３〜６の接続順序を決定する構成とした。
【０１４１】
このように構成すると、計数ユニット２は、複数の集積ユニット３〜６の各々から受信した紙葉類１００の検知信号の順序に基づいて集積ユニット３〜６の接続順序を決定するので、計数ユニット２に対する複数の集積ユニット３〜６の接続順序の設定を正確かつ容易に行うことができる。また、物理的な設定手段（スイッチ等）を設ける必要がなく、製品コストの低減を行うことができる。
【０１４２】
（３）計数ユニット２は、媒体処理装置１の制御系統において複数の集積ユニット３〜６よりも上位に位置する構成とした。
【０１４３】
媒体処理装置１の制御系統において、上位の計数ユニット２は下位の集積ユニット３〜６の制御を行うために、各々の集積ユニット３〜６の接続順序を認識している必要がある。このように構成すると、計数ユニット２は、各々の集積ユニット３〜６の接続順序を自動的に認識することができる結果、集積ユニット３〜６の制御を適切に行うことができる。
【０１４４】
（４）複数の集積ユニット３〜６は、各々共通の機能（実施の形態では、共通搬送路３１１、４１１、５１１、６１１、光学センサ３６、４６、５６、６６、搬送振分機構）を有する構成とした。
【０１４５】
この種の媒体処理装置１では、汎用性および生産性の観点から複数の集積ユニット３〜６の各々は共通の機能を有することが望ましい。共通の機能の一例として、複数の集積ユニット３〜６の各々は、紙葉類１００を搬送する共通搬送路３１１、４１１、５１１、６１１、光学センサ３６、４６、５６、６６、紙葉類１００を目的とする集積ユニット３〜６内に振り分けるための搬送振分機構（図示せず）などを有している。
【０１４６】
媒体処理装置１を現場に設置する場合、媒体処理装置１の輸送上の利点から、計数ユニット２と各集積ユニット３〜６とを別々にばらして輸送し、設置場所で計数ユニット２と集積ユニット３〜６とを配線接続するのが好ましい。前述した媒体処理装置１は、計数ユニット２に対する複数の集積ユニット３〜６の接続順序を、集積ユニット３〜６の各々から受信した紙葉類１００を検知したことを示す検知信号に基づいて自動で決定および設定できるので、設置時における計数ユニット２に対する集積ユニット３〜６の接続順序を正確かつ容易に設定することができる。
（５）複数の増設ユニットのうち、少なくとも一の増設ユニット（例えば。施封ユニット）は他の増設ユニット（例えば、集積ユニット）と異なる機能（例えば、紙葉類の束に帯を巻くを施封機能）を有する構成とした。
【０１４７】
このように構成すると、媒体処理装置１では、計数ユニット２と、この計数ユニット２に接続される異なる機能を有する複数の増設ユニットとを任意の順番で容易に接続できる。よって、媒体処理装置１では、計数ユニット２と、異なる機能を有する複数の増設ユニットとを任意の順番で適切に接続することができ、媒体処理装置１におけるユニット接続の柔軟性を高めることができる。
【０１４８】
（６）計数ユニット２は、紙葉類１００を受け付ける受入部２１（受付部）と、この受入部２１で受け付けた紙葉類１００を複数の集積ユニット３〜６側に搬送可能な計数ユニット内搬送機構２２３（搬送部）と、を有する計数ユニットであり、複数の集積ユニット３〜６は、紙葉類１００を水平方向（第１の方向）に搬送する共通搬送路３１１、４１１、５１１、６１１（第１搬送路）と、紙葉類１００を水平方向と異なる垂直方向（第２の方向）に搬送する分岐搬送路３１２、４１２、５１２、６１２（第２搬送路）と、共通搬送路または分岐搬送路で搬送される紙葉類１００を検知する光学センサ３６、４６、５６、６６（検知装置）と、を有する増設ユニットであり、集積ユニット３〜６は、共通搬送路および分岐搬送路の少なくとも何れかを連通させた状態で複数連結されており、計数ユニット２は、連結された集積ユニット３〜６の共通搬送路および分岐搬送路の少なくとも何れかにより搬送される紙葉類１００を、集積ユニット３〜６の各々の光学センサ３６、４６、５６、６６が検出したことを示す信号を受信した順序に基づいて集積ユニット３〜６の接続順序を決定する構成とした。
【０１４９】
このように構成すると、媒体処理装置１では、計数ユニット２に複数の集積ユニット３〜６を接続することで、計数ユニット２で識別および計数された紙葉類１００の集積ユニット３〜６への振り分けの柔軟性を向上させることができる。例えば、集積ユニット３〜６を、紙葉類１００を集積する集積部３２、４２、５２、６２を複数有するものとしたり、集積ユニット３〜６にかえて、集積した紙葉類１００の束を施封する施封ユニットとしたりすることで、複数金種の集積や施封対応なども可能となる。一方、計数ユニット２に接続される増設ユニットの数が多くなると計数ユニット２に対する増設ユニットの配線接続が煩雑となる。前述したように、媒体処理装置１は、計数ユニット２に対する複数の増設ユニット３接続順序を、各々の増設ユニットに設けられた光学センサから受信した紙葉類１００を検知したことを示す信号に基づいて決定するので、計数ユニット２に対する増設ユニットの接続順序の設定を正確かつ容易に自動的に行うことができる。また、物理的な設定手段（スイッチ等）を設ける必要が無く、製品コストの低減を行うことができる。
【０１５０】
（７）計数ユニット２は、決定した集積ユニット３〜６の接続順序を、当該接続順序に対応する集積ユニット３〜６に通知する構成とした。
【０１５１】
このように構成すると、計数ユニット２は、各々の集積ユニット３〜６に、集積ユニット３〜６自身の接続順序を通知することができる結果、集積ユニット３〜６は、複数の集積ユニット３〜６の中での自身の接続順序を認識することができる。
【０１５２】
（８）複数の集積ユニット３〜６は、計数ユニット２から通知された接続順序を記憶する記憶部３５、４５、５５、６５を有する構成とした。
【０１５３】
このように構成すると、複数の集積ユニット３〜６の各々は、自身の接続順序を記憶部３５、４５、５５、６５に記憶することができる。この結果、媒体処理装置１では、電源投入後、紙葉類１００を再度搬送して接続順序を設定する必要なく、計数ユニット２は集積ユニット３〜６の記憶部３５、４５、５５、６５から接続順序を取得することができる。
【０１５４】
（９）複数の集積ユニット３〜６は、記憶部３５、４５、５５、６５に記憶された自身の接続順序を計数ユニット２に送信する構成とした。
【０１５５】
このように構成すると、複数の集積ユニット３〜６の各々は、自身の接続順序を計数ユニット２に送信するので、計数ユニット２は、電源投入後、再度の紙葉類１００の搬送を行う必要なく、計数ユニット２に対する複数の集積ユニット３の接続順序を認識することができる。
【０１５６】
（１０）計数ユニット２は、第１タイミング（図１６のステップＳ５０１の前回周期）において複数の集積ユニット３〜６から前回周期での接続順序（第１接続順序）を受信すると共に、第１タイミングよりも時系列的に後の第２タイミング（図１６のステップＳ５０２の今回周期）において複数の集積ユニット３〜６から今回周期での接続順序（第２接続順序）を受信し、第１タイミングで受信した前回周期での接続順序と第２タイミングで受信した今回周期での接続順序とを比較し、前回周期での接続順序と今回周期での接続順序との間に連続性があるか否かを判断する（図１６のステップＳ５０３）構成とした。
【０１５７】
このように構成すると、計数ユニット２は、前回周期と今回周期とで複数の集積ユニット３〜６から受信した接続順序の重複、抜けが存在すると判断した場合、前回周期と今回周期との間に複数の集積ユニット３〜６の組み換えの可能性を認識することができ、順序記憶のリセットを促すことができる。つまり、計数ユニット２は、複数の集積ユニット３〜６から受信した前回周期と今回周期とで接続順序の連続性の有無を判断することで、連続性がないと判断した場合には、再度、紙葉類１００を搬送して最新の状態での接続順序を決定することができる。
【０１５８】
（１２）媒体処理装置１に関する情報を表示する操作表示部２４（表示装置）をさらに備え、操作表示部２４は、第１表示領域２４１１と、当該第１表示領域２４１１と近接または接して設けられる第２表示領域２４１２と、を有し、少なくとも第１表示領域２４１１および第２表示領域２４１２の何れか一方には、計数ユニット２と集積ユニット３〜６との決定された接続順序が表示される構成とした。
【０１５９】
このように構成すると、制御部２５により決定された計数ユニット２と集積ユニット３〜６との接続順序が操作表示部２４の第１表示領域２４１１及び第２表示領域２４１２の少なくとも何れか一方に表示されるので、ユニットの接続状態の把握を容易に行うことができる。
【０１６０】
（１３）第１表示領域２４１１は、操作表示部２４の表示領域に対して上下方向に延在して設けられると共に、第２表示領域２４１２は、操作表示部２４の表示領域に対して左右方向に延在して設けられており、計数ユニット２と集積ユニット３〜６との接続状態が第２表示領域２４１２に表示される構成とした。
【０１６１】
このように構成すると、計数ユニット２と集積ユニット３〜６との接続状態が、表示領域の左右方向に延在する第２表示領域２４１２に表示されるので、各ユニットの接続状態が一目で分かり視認性が高められる。
【０１６２】
（１４）第２表示領域２４１２は、第１表示領域２４１１の上下方向に延在する何れか一方の端部から左右方向の何れか一方向に延在して設けられている構成とした。
【０１６３】
このように構成すると、正面視において、第１表示領域２４１１と第２表示領域２４１２とは概ねＬ字形状に配置される。その結果、媒体処理装置１を制御するための機能選択ボタン２４１１ａ〜２４１１ｃ（操作部）は操作表示部２４の上下方向に配置され、ユニットの接続状態は操作表示部２４の左右方向に配置されるので、目視で把握しやすく視認性をより高めることができる。
【０１６４】
＜第２の実施の形態＞
【０１６５】
なお、前述した実施の形態では、計数ユニット２と集積ユニット３〜６（増設ユニット）とをパラレル接続した場合を例示して説明したが、計数ユニット２と集積ユニット３〜６（増設ユニット）とをシリアル接続してもよい。
【０１６６】
以下、計数ユニット２と集積ユニット３〜６とをシリアル接続した場合の媒体処理装置１Ａを説明する。第２の実施の形態にかかる媒体処理装置１Ａにおいて、前述した第１の実施の形態にかかる媒体処理装置１と同様の構成及び機能については同一の符号を付し、必要に応じて説明する。
【０１６７】
図１７は、第２の実施の形態に係る媒体処理装置１Ａにおける計数ユニット２Ａと集積ユニット３Ａ〜６Ａとの接続状態を説明する概略構成図である。
図１８は、第２の実施の形態に係る計数ユニット２Ａの制御部２５に送信される情報の一例を説明する図である。
図１９は、第２の実施の形態に係る媒体処理装置１Ａの計数ユニット２Ａと集積ユニット３Ａ〜６Ａとをシリアル接続した場合において、各集積ユニット３Ａ〜６Ａで生成された受信信号の計数ユニット２Ａでの受信状況の一例を説明する図である。
【０１６８】
図１７に示すように、媒体処理装置１Ａでは、各々の集積ユニット３Ａ〜６Ａに設けられたシリアル接続端子３０ｂ、４０ｂ、５０ｂ、６０ｂと、計数ユニット２Ａのシリアル接続コネクタＰＴと、が共通のシリアルケーブル８０で接続されている。よって、各々の集積ユニット３Ａ〜６Ａと計数ユニット２Ａとはシリアル接続されており、この共通のシリアルケーブル８０を介して情報の送受信が可能となっている。
【０１６９】
各々の集積ユニット３Ａ〜６Ａに設けられた光学センサ３６、４６、５６、６６は、紙葉類１００を検知した際に生成する検知信号を共通のシリアルケーブル８０を介して計数ユニット２Ａの制御部２５に送信する。
【０１７０】
また、各々の集積ユニット３Ａ〜６Ａに設けられた制御部３４、４４、５４、６４は、これらの制御部が設けられた集積ユニット３Ａ〜６Ａを識別するための固有のユニット識別情報と、ユニットの種類を判別するためのユニット種別情報（図１８参照）とを有している。制御部３４、４４、５４、６４は、光学センサ３６、４６、５６、６６で生成された検知信号と共にユニット識別情報及びユニット種別情報を共通のシリアルケーブル８０を介して計数ユニット２Ａの制御部２５に送信する。
【０１７１】
前述したユニットを識別するためのユニット識別情報の一例としては、各々の集積ユニットに搭載されたＣＰＵの固有ＩＤ、各々の集積ユニットに搭載された通信装置の固有ＩＤなどの情報が挙げられる。また、ユニットの種類を判別するためのユニット種別に関する情報の一例としては、集積部の数の違いによる集積ユニットの種類、集積や施封などの機能の違いによるユニットの種類などに関する情報である。なお、固有ＩＤの送信方法は、例えば、送信する一連の情報（複数バイト）のうち最初（又は最後）の数バイトを、固有ＩＤを示す情報としてもよく、又は紙葉類の検知信号に関連付けた固有ＩＤ情報を別に送信しても良い。
【０１７２】
実施の形態では、図１８に示すように、集積ユニット３Ａには、ユニット識別情報「００３」、ユニット種別「集積ユニット（４集積部）」、集積ユニット４Ａには、ユニット識別情報「００１」、ユニット種別「集積ユニット（３集積部）」、集積ユニット５Ａには、ユニット識別情報「００２」、ユニット種別「集積ユニット（２集積部）」、集積ユニット６Ａには、ユニット識別情報「００４」、ユニット種別「集積ユニット（１集積部）」が予め設定されている。
【０１７３】
よって、図１９に示すように、紙葉類処理装置１Ａでは、接続順序設定モードにおいて、紙葉類１００は各々の集積ユニット３Ａ〜６Ａの共通搬送路３１１、４１１、５１１、６１１に沿って順番に搬送される。
【０１７４】
最初に、紙葉類１００は集積ユニット３Ａの共通搬送路３１１に沿って搬送される。そうすると、集積ユニット３Ａの光学センサ３６で生成された検知信号と、制御部３４からのユニット識別情報「００３」及びユニット種別「集積ユニット（４集積部）」に関する情報と、が計数ユニット２Ａの制御部２５に送信される。
【０１７５】
次に、紙葉類１００は集積ユニット４Ａの共通搬送路４１１に沿って搬送される。そうすると、集積ユニット４Ａの光学センサ４６で生成された検知信号と、制御部４４からのユニット識別情報「００１」及びユニット種別「集積ユニット（３集積部）」に関する情報と、が計数ユニット２Ａの制御部２５に送信される。
【０１７６】
そして、紙葉類１００は集積ユニット５Ａの共通搬送路５１１に沿って搬送される。そうすると、集積ユニット５Ａの光学センサ５６で生成された検知信号と、制御部５４からのユニット識別情報「００２」及びユニット種別「集積ユニット（２集積部）」に関する情報とが計数ユニット２Ａの制御部２５に送信される。
【０１７７】
最後に、紙葉類１００は集積ユニット６Ａの共通搬送路６１１に沿って搬送される。そうすると、集積ユニット６Ａの光学センサ６６で生成された検知信号と、制御部６４からのユニット識別情報「００４」及びユニット種別「集積ユニット（１集積部）」に関する情報とが計数ユニット２Ａの制御部２５に送信される。
【０１７８】
そして、紙葉類１００が計数ユニット２Ａの最後に接続された終端収容カバー７に搬送されて接続順序の設定を終了する。
【０１７９】
計数ユニット２Ａの制御部２５は、各々の集積ユニット３Ａ〜６Ａの制御部３４、４４、５４、６４から送信されたユニット識別情報とユニット種別情報とに基づいて、当該集積ユニットがどの集積ユニットであるかを判断し、この種別等が判断された集積ユニットの接続順序を記憶部３５、４５、５５、６５に記憶する。なお、制御部２５は、光学センサ３６、４６、５６、６６から送信された検知信号を受信した順序で集積ユニット３Ａ〜６Ａの接続順序を設定する。
【０１８０】
なお、前述した実施の形態では、計数ユニット２（２Ａ）に複数種類の集積ユニット３〜６（３Ａ〜６Ａ）を順番に接続する場合を例示して説明したが、計数ユニット２（２Ａ）に接続されるユニットは集積ユニットに限定されるものではない。例えば、計数ユニット２（２Ａ）に、所定枚数の媒体を帯で束ねる機能を有する施封ユニットを接続してもよく、集積ユニット又は他のユニットと施封ユニットなどを任意に組み合わせて接続してもよい。
【０１８１】
なお、前述した実施の形態では、接続順序を設定するために搬送する媒体を紙葉類１００とした場合を例示して説明したが、紙葉類１００に限定されるものではなく、例えば、硬貨であってもよい。
【０１８２】
また、本発明にかかるユニット接続方法は、媒体処理装置を構成するユニットの接続順序を設定する場合に限定されるものではなく、その他の様々な装置における装置本体に対するユニットの接続方法に適用することができる。
【０１８３】
以上で説明した通り、第２の実施の形態では、
【０１８４】
（１１）計数ユニット２Ａと複数の集積ユニット３Ａ〜６Ａとは共通のシリアルケーブル８０を介してシリアル接続されており、複数の集積ユニット３Ａ〜６Ａは、記憶部３５、４５、５５、６５に記憶された集積ユニット３Ａ〜６Ａの接続順序を示す情報（光学センサ３６、４６，５６，６６の検知信号）に加えて自身の固有の識別情報を計数ユニット２Ａに送信する構成とした。
【０１８５】
複数の集積ユニット３Ａ〜６Ａと計数ユニット２Ａとがシリアル接続されている場合、計数ユニット２Ａは、複数の集積ユニット３Ａ〜６Ａの何れから接続順序を示す情報を受信したのか認識することができない。そのため、計数ユニット２Ａが複数の集積ユニット３Ａ〜６Ａを特定するための固有の識別情報が必要となる。そのため、複数の集積ユニット３Ａ〜６Ａが自身の接続順序を示す情報（光学センサ３６、４６、５６、６６の検知信号）に加えて自身の固有の識別情報を計数ユニット２Ａに送信することで、計数ユニット２Ａは、複数の集積ユニット３Ａ〜６Ａ固有の識別情報と接続順序を示す情報を関連付けて、複数の集積ユニット３Ａ〜６Ａを特定して接続順序を認識することができる。また、計数ユニット２Ａと複数の集積ユニット３Ａ〜６Ａとをシリアル接続できるので、システム構成上、計数ユニット２Ａの接続ポートの数に影響されずに複数の集積ユニット３Ａ〜６Ａやその他の増設ユニットを無制限に増設することができる。
【０１８６】
（１５）計数ユニット２Ａと、この計数ユニット２Ａに接続される複数の集積ユニット３Ａ〜６Ａとを有し、計数ユニット２Ａに対する複数の集積ユニット３Ａ〜６Ａの接続順序を決定する媒体処理装置１Ａのユニット接続方法であって、複数の集積ユニット３Ａ〜６Ａの各々に紙葉類１００を搬送し、紙葉類１００の搬送に応じて複数の集積ユニット３Ａ〜６Ａの各々から出力される信号を受信し、複数の集積ユニット３Ａ〜６Ａの各々から出力された信号の順番に基づいて計数ユニット２Ａに対する複数の集積ユニット３Ａ〜６Ａの接続順序を決定する構成とした。
【０１８７】
このように構成すると、媒体処理装置１Ａは、計数ユニット２Ａに対する複数の集積ユニット３Ａ〜６Ａの接続順序を、集積ユニット３Ａ〜６Ａの各々から受信した紙葉類１００の検知信号に基づいて決定するので、計数ユニット２Ａに対する複数の集積ユニット３Ａ〜６Ａの接続順序の設定を正確かつ容易に自動的に行うことができる。また、物理的な設定手段（スイッチ等）を設ける必要が無く、製品コストの低減を行うことができる。
【０１８８】
なお、前述した実施の形態では、操作表示部２４の表示画面２４１の第２表示領域２４１２に計数ユニット２と集積ユニット３、終端収容カバー７等との装置接続状態図２４１２ａを表示する場合を例示して説明したが、制御部２５は、装置接続状態図２４１２ａを第１表示領域２４１１、又は第１表示領域２４１１と第２表示領域２４１２の両方に表示するようにしてもよい。
【０１８９】
このように構成すると、計数ユニット２に対して集積ユニット３等を縦方向に接続する装置構成の場合や、計数ユニット２に対して集積ユニット３等を横方向や縦方向に接続する装置構成の場合でも装置接続状態図を第１表示領域２４１１及び第２表示領域２４１２の少なくとも何れか一方に適切に表示することができる。
【０１９０】
なお、前述した実施の形態では、第１表示領域２４１１と第２表示領域２４１２とが直交する場合を例示して説明したが、これに限定されるものではない。例えば、第１表示領域２４１１と第２表示領域２４１２とが接する構成としてもよく、また第１表示領域２４１１と第２表示領域２４１２との間が空いており、各々の表示領域が隣接する構成としてもよい。
【０１９１】
このように構成しても、第１表示領域２４１１と第２表示領域２４１２とが、それぞれ表示画面２４１の上下方向と左右方向に延在して配置されるので、第１表示領域２４１１に設けられる機能選択ボタン２４１１ａ〜２４１１ｃの操作性が向上すると共に、第２表示領域２４１２に表示される計数ユニットと集積ユニットとの装置接続状態図２４１２ａの視認性を向上させることができる。
【符号の説明】
【０１９２】
１：媒体処理装置
２：計数ユニット
２１：受付部
２２：計数本体部
２２３：計数ユニット内搬送機構
２２３ａ：取込搬送路
２２３ｂ：識別搬送路
２２３ｃ：リジェクト側搬送路
２２３ｄ：搬出側搬送路
２３：リジェクト部
２４：操作表示部（表示装置）
２４１：表示画面
２５：制御部
３〜６：集積ユニット
３０、４０、５０、６０：集積本体部
３１、４１、５１、６１：集積ユニット内搬送機構
３１１：４１１、５１１、６１１：共通搬送路
３１２、４１２、５１２、６１２：分岐搬送路
３２、４２、５２、６２：集積部
３３、４３、５３、６３：羽根車
３４、４４、５４，６４：制御部
３５、４５、５５、６５：記憶部
３６、４６、５６、６６：光学センサ
３７、４７、５７、６７：状態表示部
１００：紙葉類
Ｐ１〜Ｐｎ：接続ポート
【図１】
2020164330.tif 000003
【図２】
2020164330.tif 000004
【図３】
2020164330.tif 000005
【図４】
2020164330.tif 000006
【図５】
2020164330.tif 000007
【図６】
2020164330.tif 000008
【図７】
2020164330.tif 000009
【図８】
2020164330.tif 000010
【図９】
2020164330.tif 000011
【図１０】
2020164330.tif 000012
【図１１】
2020164330.tif 000013
【図１２】
2020164330.tif 000014
【図１３】
2020164330.tif 000015
【図１４】
2020164330.tif 000016
【図１５】
2020164330.tif 000017
【図１６】
2020164330.tif 000018
【図１７】
2020164330.tif 000019
【図１８】
2020164330.tif 000020
【図１９】
2020164330.tif 000021